(57)【要約】【課題】      骨つぼを陶磁器製の単なるつぼではなく、個性的なつぼとすることが課題である。【解決手段】  骨つぼの蓋に故人の思いいれのある模擬体を固着すること、また遺骨が誰の遺骨であるのか骨つぼで判別できるようにすること、骨つぼを単調な陶磁器のつぼでなく美麗なつぼとすること、これらが課題を解決するための手段としている。【選択図】図１
0003130960.tif 000002
【実用新案登録請求の範囲】
【請求項１】
骨つぼの蓋に野球のボール、サッカーボール、ゴルフボール、または自動車、船または十二支の動物等、故人の思い入れの模擬体を固着してなる骨つぼ。
【請求項２】
骨つぼ本体に戒名、故人の略歴等を付してなる請求項１の骨つぼ。
【請求項３】
骨つぼ本体及び蓋部分に適宜の模様を付してなる請求項１及び請求項２の骨つぼ。
【考案の詳細な説明】
【技術分野】
【０００１】  本考案は、故人の遺骨を納骨する骨つぼの改良に関するものである。
【背景技術】
【０００２】  従来より骨つぼは白の陶磁器製の蓋付容器が一般的であり、格別に個性的な形状のものはみかけない。【０００３】  一方、故人の中には、野球、サッカー等が格別に好きだった人、自動車の世界で生活をしていた人、船に乗っていた人等がいる。そのような人たちは野球の選手であればボール、サッカーの選手にあってもボール、自動車の世界の人にとっては自動車、船員にとっては船等に深い思い入れがある。また丑年生まれの人は牛に、寅年生まれの人は虎に等それぞれの十二支に思い入れがある。【０００４】  また、従来の陶磁器製の骨つぼにあっては、単なるつぼであるから、墓の霊標には個人の略歴等が記されているものの、納骨室内の骨つぼにあっては何の表示もないことから、誰の骨つぼか判別が難事であった。【０００５】  また、骨つぼの表面に美麗な模様を描けば、それはまた特に女性には喜ばれるものと思われる。
【考案の開示】
【考案が解決しようとする課題】
【０００６】  解決しようとする問題点は、骨つぼを陶磁器製の単なるつぼではなく、個性的なつぼとすることである。
【課題を解決するための手段】
【０００７】  本考案は、骨つぼの蓋に故人の思いいれのある模擬体を固着すること、また遺骨が誰の遺骨であるのか骨つぼで判別できるようにすること、骨つぼを単調な陶磁器のつぼでなく美麗なつぼとすること、これらが課題を解決するための手段である。
【考案の効果】
【０００８】  従来は陶磁器の単なる白いつぼであったが、蓋３に個人の思いいれの模擬体とか十二支の模擬体等を固着するので誠に個性的であり、また骨つぼの本体１に戒名及び略歴５を記すので、遺骨が誰のものか、またどのような人だったのか、子孫にもはっきりと分かるものである。更に骨つぼの本体１及び蓋３に適宜な模様６を付したものにあっては、特に女性等に喜ばれるものである。また近年、葬儀の生前予約が行われているが、生前に自分の好みの骨つぼ１を決めておくことができる等、極めて実用的な効果を有するものである。
【考案を実施するための最良の形態】
【０００９】  本考案は、骨つぼの蓋に野球のボール、サッカーボール、ゴルフボール、または自動車、船または十二支等、故人の思い入れの模擬体を固着してなる骨つぼであり、更には、骨つぼの本体１に戒名、故人の略歴等を付してなる請求項１の骨つぼであり、更には、骨つぼ本体１及び蓋部分３に適宜の模様を付してなる請求項１及び請求項２の骨つぼを呈せんとするものである。
【実施例１】
【００１０】  陶磁器製からなる骨つぼ１の蓋３に、野球のボール、サッカーボール、ゴルフボール、または自動車、船等、故人の思い入れの模擬体４を固着する。尚、これらの模擬体３は一例であり、形状及び種類に限定を受けるものではない。また骨つぼ１の形状においても限定を受けるものではない。
【実施例２】
【００１１】陶磁器製からなる骨つぼ１の蓋３に、子・丑・寅・卯・辰・巳・午・未・申・酉・戌・亥の十二支の模擬体４を固着する。骨つぼ１の形状においては限定を受けるものではない。
【実施例３】
【００１２】陶磁器製からなる骨つぼ１の本体２側面に故人の戒名及び略歴５を記す。これは骨つぼ１を焼成する前に記して、骨つぼ１の焼成と同時に焼き付けるものである。戒名及び略歴５の記し方、また骨つぼ１の形状においては限定を受けるものではない。
【実施例４】
【００１３】陶磁器製からなる骨つぼ１の本体２及び蓋３部分に適宜の模様を描く。また単なる模様だけではなく、宗派の本尊等を描いてもよい。これは骨つぼ１を焼成する前に記して、骨つぼ１の焼成と同時に焼き付けるものである。模様６の形態、また骨つぼ１の形状においては限定を受けるものではない。
【産業上の利用可能性】
【００１４】  本考案は、骨つぼ１の蓋３に野球のボール、サッカーボール、ゴルフボール、または自動車、船または十二支等、故人の思い入れの模擬体４を固着してなる骨つぼ１であり、更には、骨つぼ１の本体２に戒名、故人の略歴５等を付してなる請求項１の骨つぼであり、更には、骨つぼ１本体２及び蓋部分３に適宜の模様６を付してなる請求項１及び請求項２の骨つぼであるから、従来は陶磁器の単なる白いつぼであったが、個人の思いいれの物体とか十二支の動物等の模擬体４を蓋３に固着するので誠に個性的であり、また骨つぼ１に戒名及び略歴５を記すので、遺骨が誰のものか、またどのような人だったのか、子孫にもはっきりと分かるものである。更に骨つぼ１に適宜な模様６を付したものにあっては、特に女性等に喜ばれるものである。また各宗派の本尊を描いたものにあっては、死後仏様に近づきたいという願いが適えられる。また近年、葬儀の生前予約が行われているが、生前に自分の好みの骨つぼ１を決めておくことができる等、産業上での利用可能性は極めて大きいものがある。
【図面の簡単な説明】
【００１５】
【図１】  模擬体を固着した骨つぼ
【図２】  戒名及び略歴を記した骨つぼ
【図３】  模様を付した骨つぼ
【符号の説明】
【００１６】  １  骨つぼ
２  骨つぼ本体
３  蓋
４  模擬体
５  戒名及び略歴
６  模様
【図１】
0003130960.tif 000003
【図２】
0003130960.tif 000004
【図３】
0003130960.tif 000005
【手続補正書】
【提出日】平成18年11月28日(2006.11.28)
【手続補正１】
【補正対象書類名】実用新案登録請求の範囲
【補正対象項目名】全文
【補正方法】変更
【補正の内容】
【実用新案登録請求の範囲】
【請求項１】
骨つぼの蓋に野球のボール、サッカーボール、ゴルフボール、または自動車、船または十二支の動物等、故人の思い入れの模擬体を、成形時に蓋の上部、即ち模擬体を固着する部分と、同じく模擬体の蓋に固着する部分を濡らして柔らかくし、双方を接着して、接着部周囲を指またはへら等で押して固着し焼成してなる骨つぼ。
【請求項２】
骨つぼ本体に戒名、故人の略歴等を付してなる請求項１の骨つぼ。
【請求項３】
骨つぼ本体及び蓋部分に適宜の模様を付してなる請求項１または請求項２の骨つぼ。
【手続補正２】
【補正対象書類名】明細書
【補正対象項目名】全文
【補正方法】変更
【補正の内容】
【考案の詳細な説明】
【技術分野】
【０００１】  本考案は、故人の遺骨を納骨する骨つぼの改良に関するものである。
【背景技術】
【０００２】  従来より骨つぼは白の陶磁器製の蓋付容器が一般的であり、格別に個性的な形状のものはみかけない。【０００３】  一方、故人の中には、野球、サッカー等が格別に好きだった人、自動車の世界で生活をしていた人、船に乗っていた人等がいる。そのような人たちは野球の選手であればボール、サッカーの選手にあってもボール、自動車の世界の人にとっては自動車、船員にとっては船等に深い思い入れがある。また丑年生まれの人は牛に、寅年生まれの人は虎に等それぞれの十二支に思い入れがある。【０００４】  また、従来の陶磁器製の骨つぼにあっては、単なるつぼであるから、墓の霊標には個人の略歴等が記されているものの、納骨室内の骨つぼにあっては何の表示もないことから、誰の骨つぼか判別が難事であった。【０００５】  また、骨つぼの表面に美麗な模様を描けば、それはまた特に女性には喜ばれるものと思われる。
【考案の開示】
【考案が解決しようとする課題】
【０００６】  解決しようとする問題点は、骨つぼを陶磁器製の単なるつぼではなく、個性的なつぼとすることである。
【課題を解決するための手段】
【０００７】  本考案は、骨つぼの蓋に故人の思いいれのある模擬体を固着すること、また遺骨が誰の遺骨であるのか骨つぼで判別できるようにすること、骨つぼを単調な陶磁器のつぼでなく美麗なつぼとすること、これらが課題を解決するための手段である。
【考案の効果】
【０００８】  従来は陶磁器の単なる白いつぼであったが、蓋３に個人の思いいれの模擬体とか十二支の模擬体等を固着するので誠に個性的であり、また骨つぼの本体１に戒名及び略歴５を記すので、遺骨が誰のものか、またどのような人だったのか、子孫にもはっきりと分かるものである。更に骨つぼの本体１及び蓋３に適宜な模様６を付したものにあっては、特に女性等に喜ばれるものである。また近年、葬儀の生前予約が行われているが、生前に自分の好みの骨つぼ１を決めておくことができる等、極めて実用的な効果を有するものである。
【考案を実施するための最良の形態】
【０００９】  本考案は、骨つぼの蓋に野球のボール、サッカーボール、ゴルフボール、または自動車、船または十二支等、故人の思い入れの模擬体を固着してなる骨つぼであり、更には、骨つぼの本体１に戒名、故人の略歴等を付してなる請求項１の骨つぼであり、更には、骨つぼ本体１及び蓋部分３に適宜の模様を付してなる請求項１または請求項２の骨つぼを呈せんとするものである。
【実施例１】
【００１０】  陶磁器製からなる骨つぼ１の蓋３に、野球のボール、サッカーボール、ゴルフボール、または自動車、船等、故人の思い入れの模擬体４を固着する。固着方法としては、成形時に蓋３の上部、即ち模擬体４を固着する部分と、同じく模擬体４の蓋３に固着する部分を濡らして柔らかくし、双方を接着して、接着部周囲を指またはへら等で押して固着し焼成するものである。尚、これらの模擬体４は一例であり、形状及び種類に限定を受けるものではない。また骨つぼ１の形状においても限定を受けるものではない。
【実施例２】
【００１１】陶磁器製からなる骨つぼ１の蓋３に、子・丑・寅・卯・辰・巳・午・未・申・酉・戌・亥の十二支の模擬体４を固着する。固着方法としては、成形時に蓋３の上部、即ち模擬体４を固着する部分と、同じく模擬体４の蓋３に固着する部分を濡らして柔らかくし、双方を接着して、接着部周囲を指またはへら等で押して固着し焼成するものである。骨つぼ１の形状においては限定を受けるものではない。
【実施例３】
【００１２】陶磁器製からなる骨つぼ１の本体２側面に故人の戒名及び略歴５を記す。これは骨つぼ１を焼成する前に記して、骨つぼ１の焼成と同時に焼き付けるものである。戒名及び略歴５の記し方、また骨つぼ１の形状においては限定を受けるものではない。
【実施例４】
【００１３】陶磁器製からなる骨つぼ１の本体２及び蓋３部分に適宜の模様を描く。また単なる模様だけではなく、宗派の本尊等を描いてもよい。これは骨つぼ１を焼成する前に記して、骨つぼ１の焼成と同時に焼き付けるものである。模様６の形態、また骨つぼ１の形状においては限定を受けるものではない。
【産業上の利用可能性】
【００１４】  本考案は、骨つぼ１の蓋３に野球のボール、サッカーボール、ゴルフボール、または自動車、船または十二支等、故人の思い入れの模擬体４を固着してなる骨つぼ１であり、更には、骨つぼ１の本体２に戒名、故人の略歴５等を付してなる請求項１の骨つぼであり、更には、骨つぼ１本体２及び蓋部分３に適宜の模様６を付してなる請求項１または請求項２の骨つぼであるから、従来は陶磁器の単なる白いつぼであったが、個人の思いいれの物体とか十二支の動物等の模擬体４を蓋３に固着するので誠に個性的であり、また骨つぼ１に戒名及び略歴５を記すので、遺骨が誰のものか、またどのような人だったのか、子孫にもはっきりと分かるものである。更に骨つぼ１に適宜な模様６を付したものにあっては、特に女性等に喜ばれるものである。また各宗派の本尊を描いたものにあっては、死後仏様に近づきたいという願いが適えられる。また近年、葬儀の生前予約が行われているが、生前に自分の好みの骨つぼ１を決めておくことができる等、産業上での利用可能性は極めて大きいものがある。
【図面の簡単な説明】
【００１５】
【図１】  模擬体を固着した骨つぼ
【図２】  戒名及び略歴を記した骨つぼ
【図３】  模様を付した骨つぼ
【符号の説明】
【００１６】  １  骨つぼ
２  骨つぼ本体
３  蓋
４  模擬体
５  戒名及び略歴
６  模様